(57)【特許請求の範囲】
【請求項１】
情報記録媒体に記録されたコンテンツデータを再生する再生装置において、
前記コンテンツデータを前記情報記録媒体から再生する再生手段と、
前記コンテンツデータに対応付けて前記情報記録媒体に記録されている、ダイジェスト再生時にスキップする期間を含む再生制御情報に基づき、前記再生手段を制御して前記情報記録媒体に記録された前記コンテンツデータをダイジェスト再生させる再生制御手段と、
再生された前記コンテンツデータに対し、コピープロテクト処理を施すコピープロテクト手段と
を含み、
前記コピープロテクト手段は、
通常再生された、コピー可能とされている前記コンテンツデータに対して前記コピープロテクト処理を施さず、
ダイジェスト再生された、コピー可能とされている前記コンテンツデータに対して前記コピープロテクト処理を施す
再生装置。
【請求項２】
前記情報記録媒体から前記コンテンツデータが通常再生されているときのユーザ操作に応じ、前記再生制御情報を更新する更新手段を
さらに含む請求項１に記載の再生装置。
【請求項３】
前記コピープロテクト手段は、前記コンテンツデータが前記ダイジェスト再生された結果得られるアナログビデオ信号の帰線区間にマクロビジョン信号を挿入する
請求項１に記載の再生装置。
【請求項４】
前記コピープロテクト手段は、前記コンテンツデータが前記ダイジェスト再生された結果得られるディジタル符号化データをIEEE1394アイソクロナスパケットに分割し、そのパケットのペイロード部分を暗号化する
請求項１に記載の再生装置。
【請求項５】
前記コピープロテクト手段は、DTCPの規格に基づき、前記IEEE1394アイソクロナスパケットのペイロード部分を暗号化する
請求項４に記載の再生装置。
【請求項６】
情報記録媒体に記録されたコンテンツデータを再生する再生手段を備えた再生装置の再生方法において、
前記コンテンツデータに対応付けて前記情報記録媒体に記録されている再生制御情報に基づき、前記再生手段を制御して前記情報記録媒体に記録された前記コンテンツデータをダイジェスト再生させる再生制御ステップと、
再生された前記コンテンツデータに対し、コピープロテクト処理を施すコピープロテクトステップと
を含み、
前記コピープロテクトステップは、
通常再生された、コピー可能とされている前記コンテンツデータに対して前記コピープロテクト処理を施さず、
ダイジェスト再生された、コピー可能とされている前記コンテンツデータに対して前記コピープロテクト処理を施す
再生方法。
【請求項７】
情報記録媒体に記録されたコンテンツデータを再生する再生手段を備えた再生装置の制御用のプログラムであって、
前記コンテンツデータに対応付けて前記情報記録媒体に記録されている再生制御情報に基づき、前記再生手段を制御して前記情報記録媒体に記録された前記コンテンツデータをダイジェスト再生させる再生制御ステップと、
再生された前記コンテンツデータに対し、コピープロテクト処理を施すコピープロテクトステップと
を含み、
前記コピープロテクトステップは、
通常再生された、コピー可能とされている前記コンテンツデータに対して前記コピープロテクト処理を施さず、
ダイジェスト再生された、コピー可能とされている前記コンテンツデータに対して前記コピープロテクト処理を施す
処理を再生装置のコンピュータに実行させるためのプログラムが記録されている記録媒体。
【請求項８】
情報記録媒体に記録されたコンテンツデータを再生する再生手段を備えた再生装置の制御用のプログラムであって、
前記コンテンツデータに対応付けて前記情報記録媒体に記録されている再生制御情報に基づき、前記再生手段を制御して前記情報記録媒体に記録された前記コンテンツデータをダイジェスト再生させる再生制御ステップと、
再生された前記コンテンツデータに対し、コピープロテクト処理を施すコピープロテクトステップと
を含み、
前記コピープロテクトステップは、
通常再生された、コピー可能とされている前記コンテンツデータに対して前記コピープロテクト処理を施さず、
ダイジェスト再生された、コピー可能とされている前記コンテンツデータに対して前記コピープロテクト処理を施す
処理を再生装置のコンピュータに実行させるプログラム。
【発明の詳細な説明】
【０００１】
【発明の属する技術分野】
本発明は、再生装置および方法、記録媒体、並びにプログラムに関し、例えば、情報記録媒体に記録されているテレビジョン番組などの映像および音声を要約して再生する場合に用いて好適な再生装置および方法、記録媒体、並びにプログラムに関する。
【０００２】
【従来の技術】
従来、テレビジョン番組などの映像および音声（以下、プログラムコンテンツと記述する）をハードディスクドライブなどに記録し、それを再生する装置に関し、プログラムコンテンツの記録時においては、当該プログラムコンテンツの内容に関する特徴点（内容的に重要度が高い期間として、例えば、プログラムコンテンツの映像シーンが切り替えられた冒頭の数秒間、画面上に字幕などの文字列が表示されている期間など、逆に内容的に重要度が低い期間として、例えば、プログラムコンテンツの音声の無音期間、同じシーンが連続する期間、プログラムコンテンツの途中に挿入されているコマーシャルメッセージなどの期間）を検出して、特徴点ファイルとして記録し、再生時においては、記録されている特徴点ファイルに基づき、記録したプログラムコンテンツの内容的に重要度が低い期間（コマーシャルメッセージ、映像や音声が冗長な期間など）の再生をスキップし、プログラムコンテンツの内容の理解に役立つ期間（映像シーンが切り替えられた冒頭の数秒間など）だけを再生する技術が存在する。以下、そのような再生方法を、ダイジェスト再生と記述する。
【０００３】
【発明が解決しようとする課題】
ところで、記録したプログラムコンテンツをダイジェスト再生した映像および音声を視聴するだけであれば特に問題はない。しかしながら、ダイジェスト再生された映像および音声を記録することを考えた場合、仮に当該プログラムコンテンツのコピー制御情報が“Copy freely”などであって当該プログラムコンテンツのコピーが許容されていたとしても、著作物であるプログラムコンテンツの同一性を保持できない点に問題が生じ得る。
【０００４】
したがって、ダイジェスト再生された映像および音声の記録を制限することが望ましいが、従来、そのような技術は確立されていない課題があった。
【０００５】
本発明はこのような状況に鑑みてなされたものであり、ダイジェスト再生された映像および音声の記録を禁止することにより、著作物であるプログラムコンテンツの同一性を保持できるようにすることを目的とする。
【０００６】
【課題を解決するための手段】
本発明の再生装置は、コンテンツデータを情報記録媒体から再生する再生手段と、コンテンツデータに対応付けて情報記録媒体に記録されている、ダイジェスト再生時にスキップする期間を含む再生制御情報に基づき、再生手段を制御して情報記録媒体に記録されたコンテンツデータをダイジェスト再生させる再生制御手段と、再生されたコンテンツデータに対し、コピープロテクト処理を施すコピープロテクト手段とを含み、コピープロテクト手段は、通常再生された、コピー可能とされているコンテンツデータに対してコピープロテクト処理を施さず、ダイジェスト再生された、コピー可能とされているコンテンツデータに対してコピープロテクト処理を施す。
本発明の再生装置は、情報記録媒体からコンテンツデータが通常再生されているときのユーザ操作に応じ、再生制御情報を更新する更新手段をさらに含むことができる。
【０００７】
前記コピープロテクト手段は、コンテンツデータがダイジェスト再生された結果得られるアナログビデオ信号の帰線区間にマクロビジョン信号を挿入するようにすることができる。
【０００９】
前記コピープロテクト手段は、コンテンツデータがダイジェスト再生された結果得られるディジタル符号化データをIEEE1394アイソクロナスパケットに分割し、そのパケットのペイロード部分を暗号化するようにすることができる。
【００１０】
前記コピープロテクト手段は、DTCPの規格に基づき、IEEE1394アイソクロナスパケットのペイロード部分を暗号化するようにすることができる。
【００１１】
本発明の再生方法は、コンテンツデータに対応付けて情報記録媒体に記録されている再生制御情報に基づき、再生手段を制御して情報記録媒体に記録されたコンテンツデータをダイジェスト再生させる再生制御ステップと、再生されたコンテンツデータに対し、コピープロテクト処理を施すコピープロテクトステップとを含み、コピープロテクトステップは、通常再生された、コピー可能とされているコンテンツデータに対してコピープロテクト処理を施さず、ダイジェスト再生された、コピー可能とされているコンテンツデータに対してコピープロテクト処理を施す。
【００１２】
本発明の記録媒体は、コンテンツデータに対応付けて情報記録媒体に記録されている再生制御情報に基づき、再生手段を制御して情報記録媒体に記録されたコンテンツデータをダイジェスト再生させる再生制御ステップと、再生されたコンテンツデータに対し、コピープロテクト処理を施すコピープロテクトステップとを含み、コピープロテクトステップは、通常再生された、コピー可能とされているコンテンツデータに対してコピープロテクト処理を施さず、ダイジェスト再生された、コピー可能とされているコンテンツデータに対してコピープロテクト処理を施す処理を再生装置のコンピュータに実行させるためのプログラムが記録されている。
【００１３】
本発明のプログラムは、コンテンツデータに対応付けて情報記録媒体に記録されている再生制御情報に基づき、再生手段を制御して情報記録媒体に記録されたコンテンツデータをダイジェスト再生させる再生制御ステップと、再生されたコンテンツデータに対し、コピープロテクト処理を施すコピープロテクトステップとを含み、コピープロテクトステップは、通常再生された、コピー可能とされているコンテンツデータに対してコピープロテクト処理を施さず、ダイジェスト再生された、コピー可能とされているコンテンツデータに対してコピープロテクト処理を施す処理を再生装置のコンピュータに実行させる。
【００１４】
本発明においては、コンテンツデータに対応付けて情報記録媒体に記録されている再生制御情報に基づき、再生手段が制御されて情報記録媒体に記録されたコンテンツデータがダイジェスト再生され、再生されたコンテンツデータに対し、コピープロテクト処理が施される。このとき、通常再生された、コピー可能とされているコンテンツデータに対してコピープロテクト処理が施されず、ダイジェスト再生された、コピー可能とされているコンテンツデータに対してコピープロテクト処理が施される。
【００１５】
【発明の実施の形態】
本発明を適用した記録再生装置の構成例について、図１を参照して説明する。この記録再生装置は、入力されるテレビジョン放送などのＲＦ信号から、所望のプログラムコンテンツを受信し、エンコードしてハードディスクドライブ(HDD)９に記録し、記録したプログラムコンテンツを通常再生またはダイジェスト再生するものである。
【００１６】
制御部１は、ドライブ３を制御して、磁気ディスク、光ディスク、光磁気ディスク、または半導体メモリなどよりなる記録媒体４に記録されている制御用プログラムを読み出し、読み出した制御用プログラムおよび操作入力部２から入力されるユーザの操作コマンド等に基づき、図示せぬ制御線を介して記録再生装置の全体を制御する。
【００１７】
また、制御部１は、記録時において、特徴点検出部７から供給される特徴点の検出結果に基づいて特徴点ファイルを生成し、プログラムコンテンツがエンコードされたディジタル符号化データに対応付けてデータハードディスクドライブ９に記録させる。また、制御部１は、通常再生時において、操作入力部２から入力されるダイジェスト再生用の編集点の設定情報に基づいて特徴点ファイルを更新し、プログラムコンテンツがエンコードされたディジタル符号化データに対応付けてデータハードディスクドライブ９に記録させる。さらに、制御部１は、ダイジェスト再生時において、ハードディスクドライブ９に記録されている特徴点ファイルを読み出し、記録されているディジタル符号化データの全再生時間のうち、どの部分を再生せずにスキップし、どの部分を再生するかを示す再生パターンを決定する。
【００１８】
操作入力部２は、リモートコントローラおよびその受信部（いずれも不図示）、などからなり、例えば、受信するチャンネルを選択する選局操作、記録を指示する操作、通常の再生を指示する操作、ダイジェスト再生を指示する操作などをユーザから受け付け、対応する操作コマンドを制御部１に供給する。また、操作入力部２は、通常の再生時において、プログラムコンテンツを視聴しながらダイジェスト再生用の編集点（ダイジェスト再生時に再生をスキップする期間などを示す）を設定するユーザの操作を受け付けて、その設定情報を制御部１に出力する。
【００１９】
チューナ５は、制御部１からの制御に基づき、入力されるテレビジョン放送のＲＦ信号から、ユーザが選局したチャンネルのプログラムコンテンツを抽出してMPEG(Moving Picture Experts Group)エンコーダ／デコーダ６および特徴点検出部７に出力する。
【００２０】
MPEGエンコーダ／デコーダ６は、チューナ５から入力されるプログラムコンテンツを、例えばMPEG２方式に従ってエンコードし、得られるディジタル符号化データを、バッファ８を介してハードディスクドライブ９に出力する。また、MPEGエンコーダ／デコーダ６は、ハードディスクドライブ９から読み出され、バッファ８を介して入力されるディジタル符号化データをデコードし、得られるプログラムコンテンツのアナログオーディオ信号を後段に出力し、得られるプログラムコンテンツのアナログビデオ信号をアナログビデオ信号プロテクト部１０に出力する。なお、MPEGエンコーダ／デコーダ６は、バッファ８を介して入力されるディジタル符号化データをデコードせず、そのままディジタル信号プロテクト部１１に出力することもできる。MPEGエンコーダ／デコーダ６から、アナログビデオ信号およびアナログオーディオ信号を出力するか、またはディジタル符号化データを出力するかについては、ユーザが選択するようにしてもよいし、当該記録再生装置の後段に接続される機器に応じて、制御部１が選択するようにしてもよい。
【００２１】
特徴点検出部７は、チューナ５から入力されるプログラムコンテンツの特徴点を検出し、検出結果を制御部１に出力する。なお、プログラムコンテンツの特徴点を検出する方法については、例えば、プログラムコンテンツの映像シーンの切り替え時、画面上に字幕などの文字列が表示された時などを重要度が高い部分として検出する。また、例えば、プログラムコンテンツの無音期間、プログラムコンテンツの途中に挿入されているコマーシャルメッセージなどを重要度が低い部分として検出する。
【００２２】
バッファ８は、MPEGエンコーダ／デコーダ６からのディジタル符号データが、ハードディスクドライブ９での書き込み時にオーバフローしないようにバッファリングする。また、バッファ８は、ハードディスクドライブ９から読み出されたディジタル符号データが、MPEGエンコーダ／デコーダ６でエンコードされるときにオーバフローしないようにバッファリングする。
【００２３】
ハードディスクドライブ９は、制御部１からの制御に従い、MPEGエンコーダ／デコーダ６からバッファ８を介して入力されるディジタル符号化データを記憶する。また、ハードディスクドライブ９は、制御部１からの制御に従い、記憶しているディジタル符号化データを読み出し、バッファ８を介してMPEGエンコーダ／デコーダ６に出力する。
【００２４】
アナログビデオ信号プロテクト部１０は、ダイジェスト再生時において、制御部１からの制御に従い、MPEGエンコーダ／デコーダ６から供給されるプログラムコンテンツのアナログビデオ信号に対し、例えば、その垂直帰線区間などに、マクロビジョン信号などの所定のコピープロテクト情報（後段に接続される録画装置における録画処理を制限するための信号）を挿入する。
【００２５】
ディジタル信号プロテクト部１１は、ダイジェスト再生時において、制御部１からの制御に従い、MPEGエンコーダ／デコーダ６から供給されるプログラムコンテンツのディジタル符号化データに対してコピープロテクト情報を挿入し、IEEE(Institute of Electrical and Electronics Engineers)1394バスを介して後段の機器に出力する。具体的には、プログラムコンテンツのディジタル符号化データをIEEE1394アイソクロナスパケットに分割し、IEEE1394アイソクロナスパケットのヘッダに、例えば、5C DTCP(Digital Transmission Content Protection)において定められた暗号化モード(EMI:Encryption Mode Indicator)を設定する。暗号化モードについては、図４および図５を参照して後述する。
【００２６】
なお、ダイジェスト再生時のアナログビデオ信号プロテクト部１０、またはディジタル信号プロテクト部１１による、ダイジェスト再生されたプログラムコンテンツに対するコピープロテクト処理は、元のプログラムコンテンツのコピー制御情報が“Copy freely”であっても実行される。
【００２７】
次に、当該記録再生装置の記録処理について、図２のフローチャートを参照して説明する。この記録処理は、操作入力部２がユーザからの記録の開始を指示する操作を受け付けて、対応するコマンドを制御部１に出力したときに開始される。なお、MPEGエンコーダ／デコーダ６、および特徴点検出部７には、チューナ５から、ユーザの選局に対応するプログラムコンテンツが入力される状態にある。
【００２８】
ステップＳ１において、特徴点検出部７は、チューナ５から入力されたプログラムコンテンツの特徴点の検出を開始する。
【００２９】
ステップＳ２において、MPEGエンコーダ／デコーダ６は、チューナ５から入力されたプログラムコンテンツをエンコードしてディジタル符号化データを生成し、バッファ８を介してハードディスクドライブ９に出力する。ハードディスクドライブ９は、入力されたディジタル符号化データの記憶を開始する。
【００３０】
ステップＳ３において、特徴点検出部７は、プログラムコンテンツの特徴点を検出したか否かを判定する。特徴点を検出したと判定された場合、処理はステップＳ４に進む。ステップＳ４において、特徴点検出部７は、検出した特徴点の情報（時間的な位置やその重要度など）を制御部１に通知する。制御部１は、特徴点検出部７から通知された特徴点の情報を追加して記憶させることにより、ハードディスクドライブ９に記憶されている特徴点ファイルを更新する。なお、ステップＳ３において、特徴点を検出していないと判定された場合、ステップＳ４の処理はスキップされる。
【００３１】
ステップＳ５において、制御部１は、ユーザからの記録の終了を指示する操作がされたか否かを判定する。終了を指示する操作がされていないと判定された場合、処理はステップＳ３に戻り、以降の処理が繰り返される。その後、ステップＳ５において、終了を指示する操作がされたと判定された場合、処理はステップＳ６に進む。
【００３２】
ステップＳ６において、特徴点検出部７は、プログラムコンテンツの特徴点の検出を停止する。MPEGエンコーダ／デコーダ５は、プログラムコンテンツのエンコードを終了する。これに伴い、ハードディスクドライブ９でのディジタル符号化データの記憶も終了される。
【００３３】
以上説明した記録処理により、ハードディスクドライブ９には、プログラムコンテンツのディジタル符号化データと、それに対応する特徴点ファイルが記憶されることになる。
【００３４】
次に、当該記録再生装置の再生処理について、図３のフローチャートを参照して説明する。この再生処理は、操作入力部２がユーザからの再生するディジタル符号化データを選択する操作と、再生（通常の再生）、またはダイジェスト再生の開始を指示する操作を受け付けて、対応するコマンドを制御部１に出力したときに開始される。
【００３５】
ステップＳ１１において、制御部１は、ユーザからの指示がダイジェスト再生であるか、すなわち、再生モードがダイジェスト再生であるか否かを判定する。再生モードがダイジェスト再生であると判定された場合、処理はステップＳ１２に進む。
【００３６】
ステップＳ１２において、制御部１は、選択されたディジタル符号化データに対応する特徴点ファイルをハードディスクドライブ９から読み出し、選択されたディジタル符号化データの全再生時間のうち、どの部分を再生せずにスキップし、どの部分を再生するかを示す再生パターンを決定する。例えば、コマーシャルメッセージや冗長な場面などの再生をスキップし、プログラムコンテンツの内容の理解に役立つような、映像シーンが切り替えられた冒頭の数秒間や、字幕が表示されている期間など、内容的に重要度が高い部分だけを再生するように再生パターンを決定する。
【００３７】
ステップＳ１３において、ハードディスクドライブ９は、記憶しているディジタル符号化データのうち、制御部１が決定した再生パターンに対応する部分を読み出し、バッファ８を介してMPEGエンコーダ／デコーダ５に出力する。MPEGエンコーダ／デコーダ５は、制御部１が決定した再生パターンに従い、バッファ８を介して入力されたディジタル符号化データをデコードして、得られたプログラムコンテンツのアナログビデオ信号をアナログビデオ信号プロテクト部１０に出力し、得られたアナログオーディオ信号を、アナログビデオ信号に対するアナログビデオ信号プロテクト部１０の処理の分だけ遅延して後段に出力する。
【００３８】
ステップＳ１４において、アナログビデオ信号プロテクト部１０は、制御部１からの制御に従い、プログラムコンテンツのアナログビデオ信号に、例えばマクロビジョン信号などの所定のコピープロテクト情報を挿入して後段に出力する。
【００３９】
なお、ステップＳ１１において、再生モードがダイジェスト再生ではないと判定された場合、処理はステップＳ１５に進む。ステップＳ１５においては、通常の再生が行われる。すなわち、ハードディスクドライブ９は、選択されたディジタル符号化データを読み出し、バッファ８を介してMPEGエンコーダ／デコーダ５に出力する。MPEGエンコーダ／デコーダ５は、制御部１からの制御に従い、バッファ８を介して入力されたディジタル符号化データをデコードして、得られたプログラムコンテンツのアナログビデオ信号をアナログビデオ信号プロテクト部１０に出力し、得られたアナログオーディオ信号を後段に出力する。このとき、アナログビデオ信号プロテクト部１０は、入力されたアナログビデオ信号をそのまま後段に出力する。なお、通常再生が行われている間に、ユーザによって編集点を設定する操作が行われた場合、その操作に対応してハードディスクドライブ９に記録されている特徴点ファイルが更新される。
【００４０】
ところで、ステップＳ１３において、MPEGエンコーダ／デコーダ５は、バッファ８を介して入力されたディジタル符号化データを、そのままディジタル信号プロテクト部１１に出力する場合もある。その場合、ステップＳ１４において、ディジタル信号プロテクト部１１は、制御部１からの制御に基づき、プログラムコンテンツのディジタル符号化データをIEEE1394アイソクロナスパケットに分割し、IEEE1394アイソクロナスパケットのヘッダに、5C DTCPにおいて定められた暗号化モード(EMI)を“１１”に設定することにより、ダイジェスト再生されたディジタル符号化データを"Copy-Never"に設定して後段に出力する。なお、暗号化モード(EMI)を“０１”に設定することにより、ダイジェスト再生されたディジタル符号化データを"No-more-copies"に設定して後段に出力するようにしてもよい。以上、再生処理の説明を終了する。
【００４１】
ここで、IEEE1394アイソクロナスパケットのヘッダに設定される暗号化モードについて、図４および図５を参照して説明する。図４は、IEEE1394アイソクロナスパケットのフォーマットを示している。１６ビットの領域Data Lengthには、当該パケットのデータ長が格納される。２ビットの領域Tagには、当該パケットのフォーマットに関するラベル“００”が格納される。６ビットの領域Channelには、IEEE1394バスにおけるチャンネルを示す値が格納される。４ビットの領域Tcodeには、当該パケットの種類とトランザクションのタイプを示す値が格納される。４ビットの領域Syには、アプリケーション特有の制御情報が格納される。３２ビットの領域Header CRCには、ヘッダのエラー検出用の情報が格納される。領域Data Fieldには、分割されたプログラムディジタル符号化データが格納される。３２ビットの領域Data CRCには、領域Data Fieldに格納されたデータのエラー検出用の情報が格納される。
【００４２】
5C DTCPにおいては、４ビットの領域Syに、２ビットの領域EMIと１ビットの領域O/Eが設けられる。暗号化モードは、領域EMIに格納される。領域O/Eには、暗号化に用いた鍵の切り替え情報が格納される。
【００４３】
図５は、領域EMIに格納される暗号化モードの値を示している。暗号化モードの値“００”は、"Copy-freely"、すなわち、当該データに対して自由にコピーすることが許されていることを示す。暗号化モードの値“０１”は、"No-more-copies"、すなわち、当該データはオリジナルの１世代目のコピーであり、これ以上のコピーが禁止されていることを示す。暗号化モードの値“１０”は、"Copy-one-generation"、すなわち、当該データに対して、１世代だけコピーすることが許されていることを示す。暗号化モードの値“１１”は、"Copy-Never"、すなわち、当該データはコピー禁止であることを示す。
【００４４】
以上説明したように、本発明を適用した記録再生装置によれば、記録したプログラムコンテンツを通常再生する場合、そのまま、すなわち、コピープロテクトを施さずに出力し、ダイジェスト再生する場合、元のプログラムコンテンツのコピー制御情報が“Copy freely”であっても、コピープロテクトを施して出力する。したがって、ダイジェスト再生されたプログラムコンテンツが後段の機器において記録されることを抑止することができる。
【００４５】
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、例えば、図１に示す記録媒体４からインストールされる。
【００４６】
この記録媒体４は、コンピュータとは別に、ユーザにプログラムを提供するために配布される、プログラムが記録されている磁気ディスク（フロッピディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどよりなるパッケージメディアにより構成されるだけでなく、コンピュータに予め組み込まれた状態でユーザに提供される、プログラムが記録されているROMやハードディスクなどで構成される。
【００４７】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【００４８】
【発明の効果】
以上のように、本発明によれば、著作物であるプログラムコンテンツの同一性を保持することが可能となる。
【図面の簡単な説明】
【図１】本発明の一実施の形態である記録再生装置の構成例を示すブロック図である。
【図２】図１の記録再生装置による記録処理を説明するフローチャートである。
【図３】図１の記録再生装置による再生処理を説明するフローチャートである。
【図４】  IEEE1394アイソクロナスパケットのフォーマットを示す図である。
【図５】暗号化コード(EMI)の値の意味を示す図である。
【符号の説明】
１  制御部，  ２  操作入力部，  ４  記録媒体，  ６  MPEGエンコーダ／デコーダ，  ７  特徴点検出部，  ９  ハードディスクドライブ，  １０  アナログビデオ信号プロテクト部，  １１  ディジタル信号プロテクト部
【図１】
0004857511.tif 000002
【図２】
0004857511.tif 000003
【図３】
0004857511.tif 000004
【図４】
0004857511.tif 000005
【図５】
0004857511.tif 000006